(57)【要約】【課題】外面側の第１キャビネット部材と内面側の第２キャビネット部材とからキャビネットアセンブリ４を構成し、これを他のキャビネット３と係合させた電子機器の筐体構造において、他のキャビネットに対して両キャビネット部材を所定の相対位置で確実に固定する。【解決手段】本発明に係る筐体構造においては、第１キャビネット部材の側壁部57と第２キャビネット部材の側壁部61とが互いに重なっており、他のキャビネット３の端部には、キャビネットアセンブリ４との係合部に、筐体内部に向かって突出する突片32が形成されると共に、第１キャビネット部材の側壁部57には、突片32が嵌入すべき貫通孔58が開設され、突片32が第１キャビネット部材の貫通孔58に嵌入すると共に、該貫通孔58から突出する突片32の頭部が第２キャビネット部材の側壁部61の端面62に摺接している。【選択図】図９
2014048352.tif 000002
【特許請求の範囲】
【請求項１】
外面側の第１キャビネット部材と内面側の第２キャビネット部材とを互いに組み立ててキャビネットアセンブリを構成し、該キャビネットアセンブリを他のキャビネットと係合させることにより、筐体を構成した電子機器において、
前記第１キャビネット部材の側壁部と前記第２キャビネット部材の側壁部とが互いに重なって配置されており、前記他のキャビネットの端部には、前記キャビネットアセンブリとの係合部に、筐体内部に向かって突出する突片が形成されると共に、前記第１キャビネット部材の側壁部には、前記突片が嵌入すべき貫通孔が開設され、前記他のキャビネットの突片が前記第１キャビネット部材の貫通孔に嵌入すると共に、該貫通孔から突出する突片の頭部が前記第２キャビネット部材の側壁部の端面に摺接することにより、該突片が第１キャビネット部材と第２キャビネット部材を互いに圧接させる方向に押圧していることを特徴とする電子機器の筐体構造。
【請求項２】
前記他のキャビネットは、前面キャビネット若しくは背面キャビネットである請求項１に記載の筐体構造。
【請求項３】
前記第１キャビネット部材の側壁部には、前記他のキャビネットとの係合部に、舌片が突設され、該舌片に前記貫通孔が開設されている請求項１又は請求項２に記載の筐体構造。
【請求項４】
前記第２キャビネット部材には、操作釦を搭載するためのマウント部が形成されており、該マウント部の近傍位置に、前記第１キャビネット部材の貫通孔が配置されている請求項１乃至請求項３の何れかに記載の筐体構造。
【請求項５】
前記第１キャビネット部材は金属製であり、前記第２キャビネット部材は樹脂製である請求項１乃至請求項４の何れかに記載の筐体構造。
【発明の詳細な説明】
【技術分野】
【０００１】
本発明は、デジタルカメラ等の電子機器における筐体構造に関するものである。
【背景技術】
【０００２】
各種の電子機器においては、筐体を３以上の複数のキャビネットから構成することが行なわれる。例えば、筐体を、前面キャビネット、背面キャビネット及び中間キャビネットから構成し、中間キャビネットを前面キャビネット及び背面キャビネットとは異なる色に着色することによって、２色或いは３色の外表面を有する筐体を形成することが提案されている(特許文献１)。
【０００３】
又、前面キャビネット、背面キャビネット及び天面キャビネットの組合せから直方体状の筐体を構成し、更に天面キャビネットを、外面側の金属キャビネット部材と内面側の樹脂キャビネット部材の組立体から構成することによって、天面キャビネットの表面に金属色の光沢を付与することが行なわれる。
【０００４】
この場合、前面キャビネット及び背面キャビネットの何れか一方のキャビネットに対して、天面キャビネットを構成する金属キャビネット部材及び樹脂キャビネット部材を連結する必要がある。
従来は、金属キャビネット部材に対して樹脂キャビネット部材を第１のフック機構により係止し、更に背面キャビネットに対して金属キャビネット部材を第２のフック機構により係止した連結構造が採用されている。
【先行技術文献】
【特許文献】
【０００５】
【特許文献１】特開２００７−８７７９４号公報
【発明の概要】
【発明が解決しようとする課題】
【０００６】
しかしながら、上述の連結構造では、金属キャビネット部材に樹脂キャビネット部材を係止するための第１のフック機構と、背面キャビネットに金属キャビネット部材を係止するための第２のフック機構とが、別個に設けられていたため、筐体の大形化を招くばかりでなく、金属キャビネット部材に対する樹脂キャビネット部材の位置決め誤差と、背面キャビネットに対する金属キャビネット部材の位置決め誤差とが累積して、背面キャビネットに対する樹脂キャビネット部材の位置決め誤差が大きくなる問題があった。
【０００７】
背面キャビネットに対する樹脂キャビネット部材の位置決め誤差が大きくなると、樹脂キャビネット部材の表面に搭載された操作釦からの操作力の作用によって樹脂キャビネット部材が大きく変形し、操作感が悪化する等の問題が生じる。
【０００８】
そこで本発明の目的は、外面側の第１キャビネット部材と内面側の第２キャビネット部材とを互いに組み立ててキャビネットアセンブリを構成し、他のキャビネットに対してキャビネットアセンブリを係止することにより、筐体を構成した電子機器において、前記他のキャビネットに対して第１キャビネット部材及び第２キャビネット部材を所定の相対位置で確実に固定することが出来る筐体構造を提供することである。
【課題を解決するための手段】
【０００９】
本発明に係る電子機器の筐体構造においては、外面側の第１キャビネット部材と内面側の第２キャビネット部材とを互いに組み立てて天面キャビネットアセンブリ(４)を構成し、該キャビネットアセンブリ(４)を他のキャビネット(３)と係合させることにより、筐体(１)を構成している。
ここで、前記第１キャビネット部材の側壁部(57)と前記第２キャビネット部材の側壁部(61)とが互いに重なって配置されており、前記他のキャビネット(３)の端部には、前記キャビネットアセンブリ(４)との係合部に、筐体内部に向かって突出する突片(32)が形成されると共に、前記第１キャビネット部材の側壁部(57)には、前記突片(32)が嵌入すべき貫通孔(58)が開設され、前記他のキャビネット(３)の突片(32)が前記第１キャビネット部材の貫通孔(58)に嵌入すると共に、該貫通孔(58)から突出する突片(32)の頭部が前記第２キャビネット部材の側壁部(61)の端面(62)に摺接することにより、該突片(32)が第１キャビネット部材と第２キャビネット部材を互いに圧接させる方向に押圧している。
【００１０】
具体的には、第１キャビネット部材は金属キャビネット部材(５)であり、第２キャビネット部材は樹脂キャビネット部材(６)である。
【００１１】
上記本発明の電子機器の筐体構造によれば、筐体の組立工程にて、金属キャビネット部材(５)と樹脂キャビネット部材(６)を互いに組み立てた状態で、他のキャビネット(３)の突片(32)を、金属キャビネット部材(５)の貫通孔(58)に嵌入せしめ、更にその頭部を樹脂キャビネット部材(６)の端面(62)に摺接させる。
これによって、他のキャビネット(３)の突片(32)が、金属キャビネット部材(５)の貫通孔(58)の内周面と樹脂キャビネット部材(６)の端面(62)との間に圧入されることとなり、両キャビネット部材(５)は互いに圧接する方向に押圧される。
【００１２】
この結果、他のキャビネット(３)の突片(32)に対して金属キャビネット部材(５)及び樹脂キャビネット部材(６)が同時に位置決めされ、他のキャビネット(３)に対して両キャビネット部材(５)(６)が所定の相対位置で固定されることになる。
【００１３】
斯くして、他のキャビネット(３)の突片(32)と、金属キャビネット部材(５)の貫通孔(58)の内周面と、樹脂キャビネット部材(６)の端面(62)とによって、１つの係止機構が構成され、該係止機構によって、他のキャビネット(３)に対して金属キャビネット部材(５)及び樹脂キャビネット部材(６)が所定の相対位置で確実に固定される。
【００１４】
具体的態様において、前記樹脂キャビネット部材(６)には、操作釦(14)を搭載するためのマウント部(64)が形成されており、該マウント部(64)の近傍位置に、前記金属キャビネット部材(５)の貫通孔(58)が配置されている。
【００１５】
該具体的態様によれば、樹脂キャビネット部材(６)のマウント部(64)に搭載された操作釦(14)の近傍位置に前記係止機構が配備されているので、選択釦(13)を大きな力で押下したとしても、該操作力は係止機構によって確実に受け止められので、樹脂キャビネット部材(６)が大きく変形することはない。
【発明の効果】
【００１６】
本発明に係る電子機器の筐体構造によれば、他のキャビネットに対して第１キャビネット部材及び第２キャビネット部材を所定の相対位置で確実に固定することが出来る。
【図面の簡単な説明】
【００１７】
【図１】図１は、本発明の一実施形態であるカメラの斜視図である。
【図２】図２は、該カメラを背面側から見た斜視図である。
【図３】図３は、該カメラにおける背面キャビネットと天面キャビネットアセンブリの組立状態を示す斜視図である。
【図４】図４は、背面キャビネットと天面キャビネットアセンブリの分解斜視図である。
【図５】図５は、天面キャビネットアセンブリの組立状態を示す斜視図である。
【図６】図６は、該組立状態を異なる方向から見た斜視図である。
【図７】図７は、天面キャビネットアセンブリの分解斜視図である。
【図８】図８は、天面キャビネットアセンブリの要部を拡大して示す斜視図である。
【図９】図９は、背面キャビネットと天面キャビネットアセンブリの間に設けられた係止機構を示す拡大断面図である。
【発明を実施するための形態】
【００１８】
以下、本発明をカメラの筐体構造に実施した形態につき、図面に沿って具体的に説明する。
本発明の一実施形態であるカメラは、図１及び図２に示す如く、直方体状の筐体(１)を具え、該筐体(１)は、前面キャビネット(２)、背面キャビネット(３)及び天面キャビネットアセンブリ(４)から構成されている。
【００１９】
前面キャビネット(２)からは撮影レンズ(10)が露出すると共に、背面キャビネット(３)からはディスプレイ(11)の画面が露出している。
又、天面キャビネットアセンブリ(４)には、シャッター釦(12)の他、複数の選択釦(13)(14)が配備されている。
【００２０】
天面キャビネットアセンブリ(４)は、図４に示す如く、外面側の金属キャビネット部材(５)と内面側の樹脂キャビネット部材(６)の組立体であって、該天面キャビネットアセンブリ(４)が、図３に示す如く、背面キャビネット(３)に対して組み付けられている。
【００２１】
図４に示す如く、樹脂キャビネット部材(６)には、前記複数の選択釦(13)(14)を搭載するための複数のマウント部(63)(64)が形成されている。
尚、金属キャビネット部材(５)は例えばアルミニウム製であり、前面キャビネット(２)、背面キャビネット(３)及び樹脂キャビネット部材(６)はそれぞれ、樹脂の一体成型品である。
【００２２】
金属キャビネット部材(５)の本体(50)には、背面キャビネット(３)との係合部に沿って、側壁部(57)が形成されており、該側壁部(57)には、３つの舌片(51)(52)(53)が下向きに突設されている。この内、第１の舌片(51)は、樹脂キャビネット部材(６)の第１のマウント部(63)と近接すべき位置に形成されており、第２の舌片(52)は、樹脂キャビネット部材(６)の第２のマウント部(64)と近接すべき位置に形成されている。
【００２３】
図５に示す如く、金属キャビネット部材(５)の３つの舌片(51)(52)(53)にはそれぞれ貫通孔(58)が開設されている。
【００２４】
一方、図４に示す如く樹脂キャビネット部材(６)の本体(60)には、金属キャビネット部材(５)の側壁部(57)の内面と重なるべき側壁部(61)が形成されている。
又、背面キャビネット(３)の上端部には、金属キャビネット部材(５)の３つの舌片(51)(52)(53)と対向する位置に、内向きに突出する３つの突片(31)(32)(33)が形成されている。
【００２５】
金属キャビネット部材(５)と樹脂キャビネット部材(６)は、図５及び図６に示す如く互いに重なった状態に組み立てられ、天面キャビネットアセンブリ(４)が構成される。
この状態で、図５に示す如く、金属キャビネット部材(５)の３つの舌片(51)(52)(53)の先端部は樹脂キャビネット部材(６)よりも下方に突出し、３つの舌片(51)(52)(53)の貫通孔(58)から樹脂キャビネット部材(６)の側壁部(61)の端面(62)が露出することになる(図８参照)。
【００２６】
尚、金属キャビネット部材(５)には、図６及び７に示す如く、前記前面キャビネット(２)との係合部に、３つのフック片(54)(55)(56)が下向きに突設されており、これらのフック片(54)(55)(56)が前面キャビネット(２)に形成された被係合部(図示省略)に係合することにより、前面キャビネット(２)に対して天面キャビネットアセンブリ(４)が係止されることになる。係る係止機構としては、従来と同様のフック機構を採用することが出来る。
【００２７】
背面キャビネット(３)に対して天面キャビネットアセンブリ(４)を組み付ける工程では、図９に示す如く、背面キャビネット(３)の第２の突片(32)を金属キャビネット部材(５)の第２の舌片(52)の貫通孔(58)へ嵌入せしめ、該貫通孔(58)から突出する突片(32)の頭部を樹脂キャビネット部材(６)の側壁部(61)の端面(62)に摺接せしめる。
【００２８】
これによって、背面キャビネット(３)の第２の突片(32)が金属キャビネット部材(５)の貫通孔(58)の内周面と樹脂キャビネット部材(６)の側壁部(61)の端面(62)との間に圧入されることとなり、該第２の突片(32)の上面が樹脂キャビネット部材(６)の端面(62)を上向きに押圧する一方、該突片(32)の下面が金属キャビネット部材(５)の貫通孔(58)の内周面を下向きに押圧する。
この結果、第２の突片(32)の周辺部にて、金属キャビネット部材(５)と樹脂キャビネット部材(６)とが互いに強く圧接される。
【００２９】
斯くして、背面キャビネット(３)の第２の突片(32)と、金属キャビネット部材(５)の第２の舌片(52)の貫通孔(58)の内周面と、樹脂キャビネット部材(６)の端面(62)とによって、１つの係止機構が構成され、該係止機構によって、背面キャビネット(３)の第２の突片(32)に対して金属キャビネット部材(５)及び樹脂キャビネット部材(６)が所定の相対位置で係止されることになる。
【００３０】
同様に、背面キャビネット(３)の第１の突片(31)を金属キャビネット部材(５)の第１の舌片(51)の貫通孔(58)へ嵌入せしめ、該貫通孔(58)から突出する突片(31)の頭部を樹脂キャビネット部材(６)の側壁部(61)の端面(62)に摺接せしめる。
【００３１】
これによって、背面キャビネット(３)の第１の突片(31)が金属キャビネット部材(５)の貫通孔(58)の内周面と樹脂キャビネット部材(６)の側壁部(61)の端面(62)との間に圧入されることとなり、該第１の突片(31)の上面が樹脂キャビネット部材(６)の端面(62)を上向きに押圧する一方、該突片(31)の下面が金属キャビネット部材(５)の貫通孔(58)の内周面を下向きに押圧する。
この結果、第１の突片(31)の周辺部にて、金属キャビネット部材(５)と樹脂キャビネット部材(６)とが互いに強く圧接される。
【００３２】
斯くして、背面キャビネット(３)の第１の突片(31)と、金属キャビネット部材(５)の第１の舌片(51)の貫通孔(58)の内周面と、樹脂キャビネット部材(６)の端面(62)とによって、１つの係止機構が構成され、該係止機構によって、背面キャビネット(３)の第１の突片(31)に対して金属キャビネット部材(５)及び樹脂キャビネット部材(６)が所定の相対位置で係止されることになる。
【００３３】
又、背面キャビネット(３)の第３の突片(33)を金属キャビネット部材(５)の第３の舌片(53)の貫通孔(58)へ嵌入せしめ、該貫通孔(58)から突出する突片(33)の頭部を樹脂キャビネット部材(６)の側壁部(61)の端面(62)に摺接せしめる。
【００３４】
これによって、背面キャビネット(３)の第３の突片(33)が金属キャビネット部材(５)の貫通孔(58)の内周面と樹脂キャビネット部材(６)の側壁部(61)の端面(62)との間に圧入されることとなり、該第３の突片(33)の上面が樹脂キャビネット部材(６)の端面(62)を上向きに押圧する一方、該突片(33)の下面が金属キャビネット部材(５)の第３の舌片(53)の貫通孔(58)の内周面を下向きに押圧する。
この結果、第３の突片(33)の周辺部にて、金属キャビネット部材(５)と樹脂キャビネット部材(６)とが互いに強く圧接される。
【００３５】
斯くして、背面キャビネット(３)の第３の突片(33)と、金属キャビネット部材(５)の第３の舌片(53)の貫通孔(58)の内周面と、樹脂キャビネット部材(６)の端面(62)とによって、１つの係止機構が構成され、該係止機構によって、背面キャビネット(３)の第３の突片(33)に対して金属キャビネット部材(５)及び樹脂キャビネット部材(６)が所定の相対位置で係止されることになる
【００３６】
上記のデジタルカメラの筐体構造によれば、上述の３つの係止機構によって、背面キャビネット(３)に対して金属キャビネット部材(５)及び樹脂キャビネット部材(６)を所定の相対位置で確実に固定することが出来る。
ここで、各係止機構は、背面キャビネット(３)に対して金属キャビネット部材(５)及び樹脂キャビネット部材(６)を同時に係止するので、背面キャビネットに対する金属キャビネット部材の係止機構と、金属キャビネット部材に対する樹脂キャビネット部材の係止機構とを別個に設けていた従来の構成と比較して、筐体の小形化が可能である。
【００３７】
又、各係止機構によれば、背面キャビネット(３)に対して金属キャビネット部材(５)と樹脂キャビネット部材(６)の位置が同時に決まるので、従来の様に金属キャビネット部材に対する樹脂キャビネット部材の位置決め誤差と、背面キャビネットに対する金属キャビネット部材の位置決め誤差とが累積することはなく、この結果、背面キャビネット(３)に対する樹脂キャビネット部材(６)の位置決め精度が向上する。
【００３８】
更に、２つの選択釦(13)(14)の近傍位置にそれぞれ上述の係止機構が配備されているので、これらの選択釦(13)(14)を大きな力で押下したとしても、該操作力は各係止機構によって確実に受け止められ、樹脂キャビネット部材(６)が大きく変形することはない。従って、選択釦(13)(14)の操作感は良好である。
【００３９】
尚、本発明の各部構成は上記実施の形態に限らず、特許請求の範囲に記載の技術的範囲内で種々の変形が可能である。例えば、上記実施形態では、背面キャビネット(３)に天面キャビネットアセンブリ(４)を係止するために３つの係止機構が設けられているが、単一の係止機構によっても、背面キャビネット(３)に対して金属キャビネット部材(５)及び樹脂キャビネット部材(６)を所定の相対位置で確実に固定することが可能であり、特に該係止機構の近傍位置における樹脂キャビネット部材(６)の変形を効果的に抑制することが出来る。
【００４０】
又、上述の係止機構は、前面キャビネット(２)と天面キャビネットアセンブリ(４)との間の連結に採用することも可能である。
更に又、本発明はデジタルカメラに限らず、種々の電子機器の筐体構造に実施することが出来る。
【符号の説明】
【００４１】
(１)  筐体
(２)  前面キャビネット
(３)  背面キャビネット
(31)  第１の突片
(32)  第２の突片
(33)  第３の突片
(４)  天面キャビネットアセンブリ
(５)  金属キャビネット部材
(57)  側壁部
(51)  第１の舌片
(52)  第２の舌片
(53)  第３の舌片
(58)  貫通孔
(６)  樹脂キャビネット部材
(61)  側壁部
(62)  端面
【図１】
2014048352.tif 000003
【図２】
2014048352.tif 000004
【図３】
2014048352.tif 000005
【図４】
2014048352.tif 000006
【図５】
2014048352.tif 000007
【図６】
2014048352.tif 000008
【図７】
2014048352.tif 000009
【図８】
2014048352.tif 000010
【図９】
2014048352.tif 000011